Podtech/llm-jp-corpus-v4-ja_patent huggingface dataset:
(57)【要約】      （修正有）【課題】ハンガーの固定を確かにして、取り出しを容易にするハンガー取り出し整理容器を提供する。【解決手段】一般にハンガー肩部１もう一方の肩部２取っ手部３の取り扱いには、絡み合いや連なりがあり、ハンガーに衣服を掛けたままの整理、ハンガーを束ねたままの整理など、整理収納が主流で、使用時の取り出しにも絡みついて不便、不能率、危険でもある。そこで対面する溝６，７や段差のある溝４を形成して、ハンガーの固定を確かにし、同時に、ハンガーの一方２を保持するだけで取り出せるハンガー取り出し整理容器を構成した。【選択図】図１
0003143058.tif 000002
【実用新案登録請求の範囲】
【請求項１】
対面する複数の溝を設けて、ハンガーを溝に固定することを特徴とするハンガー取り出し整理容器。
【請求項２】
段差のある複数の溝を設けた構造にし、ハンガーの取り出しを容易にする請求項（１）のハンがー取り出し整理容器。
【考案の詳細な説明】
【技術分野】
【０００１】  本考案は、ハンガーの絡み合いを防いで整理保管し、容易に取り出し可能なハンガー取り出し整理容器に関する。
【背景技術】
【技術分野】
【０００２】
【実用新案文献１】
実開平６−８７２８２号
【実用新案文献２】
昭６３−８８９１９号
【実用新案文献３】
実登第３１２９１６０号
【実用新案文献４】
実登第３０２１６２２号
【考案の開示】
【考案が解決しようとする課題】
【０００３】  従来技術に係るハンガー整理容器は、衣服をつけたままのもの、ハンガーを束ねたものなど、ハンガー取り扱いに絡まりや連なりすることを解消する機能構造ではない。【０００４】  それに、保管収納が主流で、直ちにハンガーを使用するには時間がかかり不便で、簡単には取り出せない機能構造である。【０００５】  本考案はハンガーの構造上この取り扱いで、固定を強くして整理保管と同時に使用までを可能にするものである。【０００６】  それに室内外に持ち運び移動使用や省エネについて配慮し、安価で実現する整理容器を目指すものである。
【課題を解決するための手段】
【０００７】  対面する複数の溝を設け、その溝にハンガーを固定することにより、ハンガーの絡まることを防ぎ、確かなる整理保管を可能にする整理容器を構成したものである。【０００７】  段差のある溝を配置し、多数のハンガーの整理が可能となり、整理機能が増しハンガーの固定が強度化する。【０００８】  対面する溝と段差の溝の構造により、一方のハンガー肩部を保持するだけで、容易にハンガーの取り出しが可能となり使用が便利となる。【０００９】  整理容器が小型となり、ハンガー使用場所への持ち運びや移動が可能となる。【００１０】  再生紙やダンボール等の組み立て利用て゛安価に製造でき、廃棄など省エネにも役立ち実用性と経済的効果が大となる。
【考案の効果】
【００１１】  対面する溝にハンガーを固定するため、絡み合いや取り出しの不便さ、不快感が減少する。【００１２】  ハンガーを固定する支点が複数となり、ハンガーの確かな固定維持が可能となる。【００１３】  一方のハンガー肩部を片手のみの保持で、ハンガーが直ぐ取り出せ、作業能率の向上となり安全性にも効果がある。【００１４】  段差のある溝で多くのハンガーが整理でき、整理収納と使用の同時機能を持つ取り出し整理容器となる。【００１５】  ハンガーを容器に整理整頓することで、容器自体の強度が増してくる。【００１６】  整頓が容易で美しく並び、一般家庭の使用には便利さと快適さを与え、主婦の家事を助け生活を豊かにする効果がある。
【考案を実施するための最良の形態】
【００１７】  ハンガーの肩部の一方（１）を容器の後面にある段差のある溝（４）に差し込む。【００１８】  他方、ハンガー肩部（２）を前面の溝（６）に入れる。するとハンガー取っ手部（３）が後面の溝（７）に固定され、絡まないでハンガーが固定される。【００１９】  後面段差のある溝（４）（５）に、ハンガーを順次互い違いに固定ししていく。ハンガーの固定支点が増し、整理に確かさと強度のある整理容器となる。【００２０】  ハンガーの使用には、前面の溝（６）から飛び出たハンガーの肩部を保持して取り出す。主婦の洗濯時には片手での取り出しが可能となり、安全で利便性がある。
【産業上の利用可能性】
【００２１】  紙類、ダンボール、合成樹脂や金属、木製等素材範囲も広く経済的効果がある。
【図面の簡単な説明】
【図１】  本考案の右側面の断面図とハンガー
【図２】  本考案の正面図
【図３】  本考案の背面図
【図４】  本考案の左側面図
【符号の説明】
（１）（２）ハンガーの肩部、（３）ハンガーの取っ手部、（６）前面の溝、（７）後面の溝、（４）（５）後面の段差の溝、（８）（９）移動用取っ手。
【図１】
0003143058.tif 000003
【図２】
0003143058.tif 000004
【図３】
0003143058.tif 000005
【図４】
0003143058.tif 000006
(57)【要約】【課題】一時的な催事や建築確認申請が不要な場合に、簡易基礎により組立式物置を設置するにおいて、布基礎あるいはベタ基礎をしなくても見栄えがよく、落ち葉やゴミが床下に吹き込まれたり、あるいは猫やねずみ、ヘビなどの小動物が床下に入り込むのを防ぐ基礎カバーを提供する。【解決手段】基礎カバーは、断面形状が上下逆さのＬ字形状であって、上部の水平面を組立式物置の本体と簡易基礎との間に挟み込むことにより簡単に固定できる。また基礎カバーがずれ動くことを防止するための複数の立上り片を水平面に形成し、垂直面には床下の湿気を放出するために複数の換気孔を設けた。【選択図】図１
0003143056.tif 000002
【実用新案登録請求の範囲】
【請求項１】
複数のコンクリートブロック等を要所要所に配置して簡易基礎とし、その上に組立式物置を設置する場合において、組立式物置の本体と前記簡易基礎との間に挟み込むことにより固定する組立式物置の基礎カバー。
【請求項２】
組立式物置の本体と簡易基礎との間に挟み込む水平面と簡易基礎の屋外面を覆う垂直面を有し、前記水平面に組立式物置本体の底部に係合する複数の立上り片を形成し、前記垂直面に複数の換気孔を設けたことを特長とする請求項１記載の組立式物置の基礎カバー。
【考案の詳細な説明】
【技術分野】
【０００１】
本考案は、組立式物置の簡易基礎をカバーする幕板に関するものである。
【背景技術】
【０００２】
組立式物置を設置する時に、建築確認申請が不要な場合や、一時的な催事で展示する場合などは、整地された地面あるいはコンクリートやアスファルトといった設置場所の上に複数個のコンクリートブロックあるいはレンガまたは石板等を要所要所に配置して簡易基礎とし、その上に組立式物置を組立てることが通常行われている。
【０００３】
しかし、個々のコンクリートブロックあるいはレンガまたは石板等は互いに離れていて間が空いているために、落ち葉やゴミが床下に吹き込まれたり、あるいは猫やねずみ、ヘビなどの小動物が床下に入り込むという問題があった。
【０００４】
また、組立式物置本体がきれいであっても、その下に見えている簡易基礎の並び方が悪かったり汚れていれば全体として意匠は悪くなるなどの問題があった。
【０００５】
この改善策として、布基礎あるいはベタ基礎をする方法もあるが、経費が増加するうえ手間や時間が掛かり、また施工には熟練した専門的な技術も必要になるという、新たな別の問題が発生する。
【特許文献１】特開平９−３２４４７４号公報
【特許文献１】特開平８−１４４２９３号公報
【考案の開示】
【考案が解決しようとする課題】
【０００６】
解決しようとする問題点は、布基礎あるいはベタ基礎をしなくても見栄えがよく、床下にゴミや小動物が入るのを防ぐことである。
【課題を解決するための手段】
【０００７】
本考案は、組立式物置の本体と簡易基礎との間で挟み込むことにより簡単に固定できることを最も主要な特徴とする。
【考案の効果】
【０００８】
本考案の組立式物置の基礎カバーは、取付けが簡単であり、見栄えが良く、床下に物や生き物が入るのを防ぐことができるという利点がある。
【考案を実施するための最良の形態】
【０００９】
組立式物置の床下にゴミや小動物が入ることを防ぐという目的を、布基礎やベタ基礎を行うことなく簡易な部材とその固定方法で実現した。
【実施例１】
【００１０】
図１は、本考案の実施例の図であって、組立式物置を設置する場所に簡易基礎として水平をとって配置した複数個のコンクリートブロックＢの四方を前後左右の基礎カバー１で囲っている。
【００１１】
基礎カバー１は、断面形状が上下逆さのＬ字形状であって、上部の水平面１１を複数個のコンクリートブロックＢの上面に架け渡し、前記水平面１１から下方に折曲した垂直面１２をコンクリートブロックＢの屋外面に接するようにして配置している。
【００１２】
基礎カバー１の水平面１１には、爪状に切り起こした立上り片１３を複数個所に形成している。また垂直面１２には、床下に湿気がこもらない様にするための換気孔１４を複数個所に設けている。
【００１３】
図２は、組立式物置の正面下部の下レール２１部分の断面図であり、設置面Ａの上に配置されたコンクリートブロックＢの屋外面（図面における左側）及び上面にかけて基礎カバー１を接触させた状態に配置して、その上に組立式物置の下レール２１と床枠２２を一体化した部材を載せ、図示していないが他の左右床枠と後床枠および根太で枠組をしその上に柱や壁パネル、屋根パネル、扉等で組立式物置を組み上げている。
【００１４】
基礎カバー１は、水平面１１が下レール２１の前端部とコンクリートブロックＢの間に挟みつけられて固定する。また水平面１１に形成された立上り片１３が下レール２１（図３においては床枠２２）の底面内曲げ端部に係合するので基礎カバー１が屋外側にずれ動くことが防止される。図中の２３は床パネルであり、２４は前後の扉である。
【００１５】
図３は、組立式物置の側面下部及び背面下部の断面図である。設置面Ａの上に配置されたコンクリートブロックＢの屋外面（図面における左側）及び上面にかけて基礎カバー１を接触させた状態で配置して、その上に組立式物置の床枠２２を載せてその上に壁パネル２５を取付けている。
【００１６】
図４は、本考案の基礎カバー１の上に組み上げた組立式物置２の全体図である。強風等で転倒しないように、組立式物置２のコーナーの柱下部にネジ止めしたアンカープレート３を介して組立式物置２を設置面に固定している。設置面がコンクリートの場合はアンカーボルトでアンカープレート３を固定し、設置面が土の場合はコンクリートをうってアンカープレート３の下部を埋め込んで固定する。
【産業上の利用可能性】
【００１７】
本考案の基礎カバーは、布基礎やベタ基礎の場合でも、基礎のアンカー位置に孔を形成すれば取り付けできるので、化粧カバーとして基礎の外面を見栄え良くすることができる。
【図面の簡単な説明】
【００１８】
【図１】本考案の一部を組合わせた状態を示す斜視図である。
【図２】本考案の取付状態を示す断面図である。
【図３】本考案の他の取付状態を示す断面図である。
【図４】本考案の取付状態を示す全体の斜視図である。
【符号の説明】
【００１９】
１    基礎カバー
１１  水平面
１２  垂直面
１３  立上り片
１４  換気孔
２    組立式物置
２１  下レール
２２  床枠
２３  床パネル
２４  扉
２５  壁パネル
３    アンカープレート
Ａ    設置面
Ｂ    コンクリートブロック
【図１】
0003143056.tif 000003
【図２】
0003143056.tif 000004
【図３】
0003143056.tif 000005
【図４】
0003143056.tif 000006
【手続補正書】
【提出日】平成20年4月22日(2008.4.22)
【手続補正１】
【補正対象書類名】実用新案登録請求の範囲
【補正対象項目名】請求項１
【補正方法】変更
【補正の内容】
【請求項１】
複数のコンクリートブロック等を要所要所に配置して簡易基礎とし、その上に組立式物置を設置する場合において、固定するために組立式物置の本体と前記簡易基礎との間に挟み込む水平面と、前記簡易基礎の屋外面を覆うための垂直面を有する、断面形状が上下逆さＬ字形状の組立式物置の基礎カバー。
(57)【要約】      （修正有）【課題】苗床の高低差の影響を受けずに苗箱を整然と整列する手動式苗箱整列機を提供する。【解決手段】鉛直方向ガイドを設けたフレーム１と、該鉛直方向ガイドに沿って鉛直方向に昇降する苗箱収納枠３と、苗箱収納枠３を鉛直方向に昇降せしめるための長穴を有するアーム６と、アーム６をフレーム１に設けられた軸を支点に回動せしめるための操作レバー１０、および操作レバー１０の昇降動作をアーム１に伝達するためのリンク９とを有することを特徴とする。【選択図】図１
0003142926.tif 000002
【実用新案登録請求の範囲】
【請求項１】
鉛直方向ガイドを設けたフレームと、該鉛直方向ガイドに沿って鉛直方向に昇降するローラ付苗箱収納枠と、該苗箱収納枠を鉛直方向に昇降せしめるための長穴を有するアームと、該アームを該フレームに設けられた軸を支点に回動せしめるための操作レバー、および該操作レバーの昇降動作を該アームに伝達するためのリンクとを有することを特徴とする手動式苗箱整列機。
【考案の詳細な説明】
【技術分野】
【０００１】
本考案は、稲作農業等において播種した苗箱をハウス内に整列するための手動式苗箱整列機に関する。
【背景技術】
【０００２】
従来の手動式苗箱整列機は、苗箱収納枠が円弧を描いて昇降し、且つ整列位置の苗床を検知して苗箱を開放する構造のため、整列位置の苗床高低差によって前後方向のばらつきが生じるという欠点があった。
【０００３】
苗床の基準レベルより苗床が高いと、苗箱が前進方向に突出し、逆に苗床が低いと後進側に突出する結果となった。
【０００４】
【非特許文献１】「簡易自動苗箱並べ機NSM-2  カタログ」、みのる産業株式会社
【考案の開示】
【考案が解決しようとする課題】
【０００５】
本考案は、苗箱収納枠を鉛直方向に昇降させることによって、苗床の高低差の影響を受けずに苗箱を整然と整列するという課題を解決することを目的としている。
【課題を解決するための手段】
【０００６】
本考案は、鉛直方向ガイドを設けたフレームと、該鉛直方向ガイドに沿って鉛直方向に昇降する苗箱収納枠と、該苗箱収納枠を鉛直方向に昇降せしめるための長穴を有するアームと、該アームを該フレームに設けられた軸を支点に回動せしめるための操作レバー、および該操作レバーの昇降動作を該アームに伝達するためのリンクとを有することを特徴とする。
【考案の効果】
【０００７】
本考案よって、苗床の高低差の影響を受けずに苗箱を整然と整列することが可能となり、手作業による修正が不要となり苗箱整列作業の迅速化に寄与する。
【考案を実施するための最良の形態】
【０００８】
図１は、本考案を前進行方向に向かって左側面図で、右側面も同じ構造となっている。１はフレームで鉛直方向ガイド２が設けられている。３は苗箱収納枠でローラ４および転輪５が設けられ、ローラ４は鉛直方向ガイド２よって上下方向に移動するように規制されている。          
【０００９】
６はアームで長穴ガイド７を有し、軸８を支点に回動する。本回動動作は長穴ガイド７を介して転輪５に伝えられ、苗箱収納枠３を上下方向に作動せしめる。
【００１０】
９はリンクで操作レバー１０の上下動作をアーム６に伝える。１１はガススプリングで常に上向きの力がはたらき、操作レバー１０にかかる苗箱荷重を軽減する。１２は苗床検知器で、苗箱収納枠３と共に降下し、苗床３０を検知して苗箱２０を１枚開放する。
【実施例】
【００１１】
図２は、苗箱収納枠３が鉛直方向に降下した状態を表している。操作レバー１０から下降動作を伝えられたアーム６は軸８を支点に回動するが、長穴ガイド７によって水平方向の動作は解放される。したがって、上下方向の動作のみが苗箱収納枠３に伝えられ、鉛直方向ガイド２に沿って苗箱収納枠３が鉛直方向に降下し、苗床検知器１２が苗床３０を検知して苗箱２０を１枚開放する。
【００１２】
本考案によって、苗床３０に高低差が存在しても前後方向に苗箱２０のズレが発生せずに整然と苗箱を敷設できる。
図３は順次、横方向に苗箱の幅１枚分移動させながら敷設を繰り返し、整列した状態を上から見た図である。
【図面の簡単な説明】
【００１３】
【図１】本考案を進行方向に向かっての左側面図
【図２】本考案の苗箱収納枠が降下した状態を表す左側面図
【図３】本考案によって苗箱が敷設された状態を表す上面図
【符号の説明】
【００１４】
１    フレーム
２    鉛直方向ガイド
３    苗箱収納枠
４    ローラ
５    転輪
６    アーム
７    長穴ガイド
８    軸
９    リンク
１０  操作レバー
１１  ガススプリング
１２  苗床検知器
２０  苗箱
３０  苗床
【図１】
0003142926.tif 000003
【図２】
0003142926.tif 000004
【図３】
0003142926.tif 000005
(57)【要約】      （修正有）【課題】新規・既存どちらでも短時間で簡単に改善でき、内部の結露と異物や雨水の侵入を防止し、納骨室の良好な換気を確保することが出来る換気機能付拝石を提供する。【解決手段】納骨室１の上部を閉じる芝台２と拝石３からなる。簡単に手で動かせる事ができる拝石３に換気路４’をつける構造で、納骨室内１の湿気を換気することができる。【選択図】図１
0003142984.tif 000002
【実用新案登録請求の範囲】
【請求項１】
納骨室の上部を閉じる拝石内に,その幅方向に延びる換気穴を形成し、拝石の両側部に開口する側部開口部を構成し、更に換気穴の両端部を除いて下面に開口する下面開口部を構成し、加えて両側の側部開口穴に換気を許容しつつ、雨水及び異物の浸入を防止する異物浸入防止具を装着してなる墓の拝石換気構造。 
【請求項２】
拝石の側面下部に1段落し削りを入れて、指の引っ掛け部をもうけた事を特徴とする請求項1記載の拝石換気構造。
【考案の詳細な説明】
【技術分野】
【０００１】
本考案は墓所の納骨室内の換気を図る為の換気構造に関するものである。
【背景技術】
【０００２】
墓所は墓碑、その下部に大地とつながる納骨室及び周囲を区画する外柵で構成され、納骨室は骨を納める部屋であり、大地と接している為、内部に湿気が大変こもり、結露を生じ、骨壷内に水が溜まったり、内部がいつもぬるぬるしている問題がある。
【０００３】
いままでも換気に対して、すぐれた物が多いが  ほとんど全部が新設や全面改装でしか対応ができなかった。
この様に大がかりの物が多い為。今すぐ現在の墓の納骨室を改良したくてもなかなかで
きなかった。
【特許文献１】実用新案登録第３１２０５０７号公報
【考案の開示】
【考案が解決しようとする課題】
【０００４】
本考案は従来技術に於ける新設や、全面改装の時しか改善できないことや、未対応の墓の場合大がかりで全部やりなおさないと、既存のシステムでは改善できない点が、一番おおきな問題である。
【課題を解決するための手段】
【０００５】
この課題を解決するため  納骨室の上部を閉じる拝石内にその幅方向に延びる換気路を形成し、拝石の両側部に開口する側部開口部を構成し、更に換気穴の両端部を除いて下面に開口する。
下面開口部を構成し加えて両側の側部開口穴に換気を許容しつつ、雨水及び異物の浸入を防止する。
異物浸入防止具を装着してなる墓の拝石換気構造を考案した。
【考案の効果】
【０００６】
既存の技術では新設のみでしか、改善できない点が一番多くの問題であり、今ある墓ではなかなか簡単には換気システムは出来ないが、この拝石換気システムでは新規・既存どちらでも短時間で簡単に改善でき、内部の結露と異物や雨水の侵入を防止し、納骨室の良好な換気を確保することが出来る。
【考案を実施するための最良の形態】
【０００７】
以下の本考案を実施するための形態を図面で参照しながら、実施例に基づいて説明します。
この実施例の墓の拝石換気構造は図1に示す様に基本的に納骨室（１）の上部を閉じる。
芝台（２）と拝石（３）からなる。
簡単に手で動かせる事ができる拝石（3）に換気路（４）をつける構造で、納骨室内（１）の湿気を換気することができる。
【０００８】
実施例では御影石を用いて構成している。
【０００９】
この実施例の墓の拝石換気構造は図1が示す様に納骨室の上部を拝石（３）と芝台（２）で構成されており、唯一手で動かすことができる。
部材(拝石)に換気穴（４‘）を備えたものである。
【００１０】
従ってこの実施例の墓の換気構造は極めて簡単な構造で、しかも簡単な作業で墓の拝石換気構造の作製を完了させ、納骨室の良好な換気と雨水・異物浸入を確保することができる。
それ故、内部の結露を防止し、骨壷等の良好な保管状態を確保し、雨水や異物の浸入も防ぐことができる。 
【００１１】
図5により別の実施例を説明する。
拝石の側面左右に、側面下部を一部削って拝石を持ちやすく指が引っかかる様に加工し、尚換気穴（４’）を見えにくくして換気穴（４’）を隠す事も出来る。
【００１２】
図6により異物浸入の防止金具を説明する。
拝石の換気口（４’’）に、ステンレス製の防虫用・防ゴミ用を装着することにより、異物の侵入を防止できる。
文  拝石下面開口部（５）全体にも金網を装着すれば、二重に効果がでる。
【図面の簡単な説明】
【００１３】
【図１】納骨室の横断面図
【図２】納骨室の前側上部の断面図
【図３】拝石の平面図
【図４】拝石の底面図
【図５】拝石の側面図
【図６】換気穴の異物浸入の金具
【符号の説明】
【００１４】
１  納骨室
２  芝台
３  拝石
４  換気路
４’  換気路
４’’  換気口
５  下面開口部
６  納骨室の壁面
７  石碑
８  換気口金具
【図１】
0003142984.tif 000003
【図２】
0003142984.tif 000004
【図３】
0003142984.tif 000005
【図４】
0003142984.tif 000006
【図５】
0003142984.tif 000007
【図６】
0003142984.tif 000008
(57)【要約】      （修正有）【課題】まな板の滑りを止めるクリップを提供する。【解決手段】防食性材質（プラスッチク、ゴム、ステンレスなど）のクリップの外側に滑り止め効果を持ち柔軟性のある素材シート（ゴムやシリコンゴムなど）を貼り付け、このクリップを洗い桶の縁に装着する。洗い桶の縁の形状は多様である為クリップのサイズを数種類用意することで、多くの形の洗い桶に対応できる。クリップはその挟む力で桶の縁に固定され、外側の滑り止め材とまな板の接触面との摩擦に因り滑りを止める。【選択図】図１
0003142904.tif 000002
【実用新案登録請求の範囲】
【請求項１】
滑り止め効果のある外面を持ち、かつ自身を洗い桶に固定できるまな板滑り止めクリップ。
【請求項２】
１に記載の外面がゴムでできたまな板滑り止めクリップ。
【請求項３】
１に記載の外面に滑り止め材を接着したまな板滑り止めクリップ。
【請求項４】
請求項１ないし３のいずれか１項に記載のクリップが防食性のある材質でできていることを特徴とするクリップ。
【考案の詳細な説明】
【技術分野】
【０００１】  本考案はまな板の滑りを止めるクリップに関するものである。
【背景技術】
【０００２】  従来、洗い桶の上にまな板を置いて食材を包丁で切る際、まな板が包丁操作の振動で滑り安定せず危険であり操作しにくかった。
【考案の開示】
【考案が解決しようとする課題】
【０００３】  洗い桶の上に置いたまな板上で食材を切る際の振動でまな板が滑り安定せず、かつ危険であった。簡易取り付け型の滑り止めを洗い桶の縁に複数個取り付けることで、滑りを防止しこの問題を解決する。
【課題を解決する為の手段】
【０００４】  防食性材質（プラスチック、ゴム、ステンレスなど）のクリップの外側に滑り止め効果を持ち柔軟性のある素材シート（ゴムやシリコンゴムなど）を貼り付け、このクリップを洗い桶の縁に装着する。洗い桶の縁の形状は多様である為クリップのサイズを数種類用意することで、多くの形の洗い桶に対応できる。クリップはその挟む力で桶の縁に固定され、外側の滑り止め材とまな板の接触面との摩擦に因り滑りを止める効果を出現して問題を解決する。
【考案の効果】
【０００５】  クリップ外側の滑り止め材とまな板下部の接触面との摩擦で包丁の振動によるまな板の滑りが防止されると同時に、クリップはその挟む力により洗い桶に固定される。結果として包丁操作の際の危険と食材加工のやりにくさの問題を解決する。
【考案を実施する為の最良の形態】
【０００６】  洗い桶の縁の形状は多様であるのでクリップのサイズは多種とし、４個で１セットとしたものを洗い桶の縁の左右に２個ずつ装着し（洗い桶の形状と摩擦の効果によりクリップの数は増減する）その上にまな板を置く。現在使用している洗い桶、まな板を買い換える事なくクリップを装着するだけで手軽に滑りを防止できる。
【０００７】  以下、添付図面に従って実施例を説明する。１は防食性材質で作られた可動クリップ。２は滑り止め効果を持つ柔軟性のあるシート（斜線部分）。３はゴム製のクリップ。１のクリップ外側に、２のシート（斜線部分）を接着したものが可動滑り止めクリップである。このクリップを例えば４個洗い桶の縁に固定し、その上にまな板を置く。
【図面の簡単な説明】
【０００８】
【図１】外側に滑り止め材を接着させたクリップ
【図２】洗い桶に装着した滑り止めクリップ
【図３】滑り止めクリップを洗い桶の縁に装着し、その上にまな板を置いた断面図
【符号の説明】
【０００９】  １可動クリップ
２滑り止め材シート
３ゴム製クリップ
４洗い桶
５まな板
【図１】
0003142904.tif 000003
【図２】
0003142904.tif 000004
【図３】
0003142904.tif 000005
(57)【要約】      （修正有）【課題】布団を押入れにしまわなくても良く、布団が簡単にソファーになる布団カバーを提供する。【解決手段】布地の接ぎ合わせの縫い目がソファーらしく見える位置に縫い、大形の布１にし、周囲にゴム紐２を通して包みこめるようにし、一方、掛け布団ａを高く折りたたみ背もたれＡとし、敷き布団はｃは、たたんだ掛け布団から出ている部分を２つ折りにして座席Ｂとし、これに、カバーを目印模様３を目当てとして表面を包み込み、ソファーらしくなるように形を整える。【選択図】図４
0003142906.tif 000002
【実用新案登録請求の範囲】
【請求項１】
ソファーらしく見えるように布の縫い目を位置付け布地を接ぎ合わせ縫い（４）、大形の布（１）にし、周囲にゴム紐（２）を通し半開きの袋状にして、背もたれになる側の面Ａの中央に位置決め用の目印模様（３）を設けたことを特徴としたソファーになる布団カバー。
【考案の詳細な説明】
【技術分野】
【０００１】  布団が簡単にソファーになる、布団カバーに関する
【背景技術】
【０００２】  従来の布団カバーは布団を汚さないようにするための袋状のカバーであったが、この考案は、簡単にたたんだ布団に、考案したカバーを掛けソファーにする。【０００３】
【特許文献１】  特開２００４−３２１５９６号公報
【考案の開示】
【考案が解決しようとする課題】
【０００４】  毎日押入れに布団を出し入れするのは大変であり、そうかと言って、部屋にたたんでおくと見た目が悪い。
【課題を解決するための手段】
【０００５】  このため、考案者は布団の片付けについて研究を重ねた結果、本考案の布団カバーを考案したもので、本考案を添付図面について説明すると、図３に示すように布地の接ぎ合わせの縫い目がソファーらしく見える位置に縫い（４）、大形の布にし（１）、周囲にゴム紐を通して（２）包みこめるようにし、一方、図２に示すように掛け布団ａを高く折りたたみ背もたれＡとし、敷き布団ｃは、たたんだ掛け布団から出ている部分を２つ折りにして座席Ｂとし、これに、本考案カバーを目印模様（３）を目当てとして表面を包み込み、ソファーらしくなるように形を整える。
【考案の効果】
【０００６】  布団を押入れにしまわなくても良い。布団が簡単にソファーになるので、実用的で、しかも部屋がきれいに見える。
【実施例】
【０００７】  添付図面により本考案を説明すると、図１は布団が敷かれている状態の平面図でａは掛け布団、ｂは枕、ｃは敷き布団を示している。図２は布団の折りたたみ状態の側面図であって、まず掛け布団ａを３つ折り或いは４つ折りにし高く折りたたむ。その上に枕ｂを置く。敷き布団ｃはたたんだ掛け布団から出ている部分を２つ折りにして座席部Ｂとしソファーの基部が形成される。【０００８】  図３はカバー布（１）の平面図であって、ソファーの感じになる位置に縫い目がくるように布地を縫ってあり（４）、布団が包み込めるような大形の布にし、周囲にゴム紐が通してある（２）。図示では作図上平面状であるが実際には半開きの袋状をしている。このため、布団に引っかかるのでずれにくくなる。【０００９】  図４は図２で折りたたんだ布団の上にカバ布ー（１）を目印の模様（３）が背もたれ中央になるように掛け、ゴム紐（２）が通っていることを利用し全体を包み、布の余った部分を布団の下に押し込み（５）ソファーらしく形を整えた側面図である。
【産業上の利用可能性】
【００１０】  上述のように本考案のソファーになる布団カバーは、布団の片付けが面倒な一人暮しのような人でも、突然の来客の場合に整理ができるため広く望まれること必然である。【００１１】  布地は布団の通気性のことを考えると、布団が透けない布で薄手の綿１００％が望ましい。布地の色柄で部屋の雰囲気が良くなるためインテリアとしても好ましい。
【図面の簡単な説明】
【００１２】
【図１】  敷き置きしている布団の平面図
【図２】  布団のたたみ方の実施例図
【図３】  布団カバー布の平面図
【図４】  ソファーになった布団の側面図
【符号の説明】
【００１３】（１）布団カバー布
（２）ゴム紐
（３）目印となる模様
（４）布の縫い目
（５）布の余った部分を布団の下に押し込んだ状態
ａ掛け布団
ｂ枕
ｃ敷き布団
Ａ背もたれ
Ｂ座席部分
【図１】
0003142906.tif 000003
【図２】
0003142906.tif 000004
【図３】
0003142906.tif 000005
【図４】
0003142906.tif 000006
(57)【要約】      （修正有）【課題】液晶テレビやプラズマテレビなどの壁掛けテレビを壁面に取り付ける構造において、取付金具および壁掛けテレビに電源コネクタを設置し、壁掛けテレビを壁面に取り付ける際の工事の簡素化と壁掛けテレビの交換を容易にした壁掛けテレビ用取付金具を提供する。【解決手段】壁面取付金具３と壁掛けテレビ１または壁掛けテレビ１に取り付ける取付金具３に電源コネクタ４を設置し、壁掛けテレビ１を壁面２に取り付けることで必然的にコネクタ６が勘合し、壁面２の美観を損なうことなく、また電源工事が簡便な壁掛けテレビ１の取付けと、壁掛けテレビ１の交換を容易にした壁掛けテレビ用取付金具。【選択図】図１
0003142901.tif 000002
【実用新案登録請求の範囲】
【請求項１】
壁掛けテレビを壁に取り付けるための取付金具において、取付金具に電源供給のための電源端子とこれと接続された壁掛けテレビへ電源供給するための接点を設け、壁掛けテレビを取付金具に取付けることでこの接点を介して壁掛けテレビに電源が供給されるようにしたことを特徴とする電源供給機能付き壁掛けテレビ用取付金具
【考案の詳細な説明】
【技術分野】
【０００１】本考案は電源供給機能付き壁掛けテレビ用取付金具に関する。
【背景技術】
【０００２】液晶やプラズマディスプレイに代表されるように、従来のブラウン管が薄型になり、壁掛け式テレビ方式とする場合、特開平１０−１７４０２１「壁掛けテレビ取付装置」に代表されるように専用の取付金具にて取り付ける方式は公知である。この場合、映像信号は高速無線伝送にてワイヤレスで伝送できるが、壁掛けテレビへの電源供給は別途工事が必要となる。しかしながら、電源工事は取付金具を壁に設置し、壁掛けテレビを取付金具に取付けた後に電源コンセントの接続や電源ケーブルの処理など、美観上の配慮をしながら実施しなければならない。
【考案の開示】
【考案が解決しようとする課題】
【０００３】取付金具を用いて壁掛けテレビを壁に設置するとき、電源工事が容易にできることと、壁掛けテレビを取付金具に取付けた後の電源ケーブル処理が不要になり、誰が工事しても容易に美観上問題がないようにすることと、壁掛けテレビを取り替える場合も電源工事を不要にすること。
【課題を解決するための手段】
【０００４】取付金具に電源引き込み端子とこれに接続された壁掛けテレビと接続するための電源接点を設け、あらかじめ取付け金具を壁に取付けたときに電源工事が行え、壁掛けテレビを取付金具に取付けると自動的に電源が壁掛けテレビに供給できる構造とすること。
【考案の効果】
【０００５】壁掛けテレビと壁掛けテレビ取付金具が壁掛けテレビ装着時に電気的に接続されるような構造とすることで、取付金具を壁に取り付けた段階で電源工事を完了させ、壁掛けテレビを取付金具に装着したときに別途電源工事の必要が無く、電源ケーブルが金具内部に隠蔽され、ケーブルが壁掛けテレビの外部に出ないようにでき、美観上の効果が期待できる。さらに、壁掛けテレビの交換が必要になった場合も、機械的に壁掛けテレビをこうかんするのみで、その都度電源工事を行う必要が無い。
【考案を実施するための最良の形態】
【０００６】壁掛けテレビを取付ける取付金具、取付金具に電源供給端子、取付金具と壁掛けテレビを接続する接点、を内装する構造とする。以下実施例により考案実施の態様を説明する。
【実施例】
【０００７】一実施例について図面を参照して説明する。
図１は本実用新案の壁掛けテレビを壁面に取付ける取付図を示しており、壁掛けテレビ１が壁２に取付けられる場合の壁面取付金具３と壁掛けテレビ１に電源を供給するためのコネクタ４、壁から取り出した電源ケーブル５、および壁掛けテレビに取付けられた電源コネクタ６を示している。図２は図１を側面から見た図で、壁掛けテレビに取付ける壁掛けテレビ用取付金具７、壁掛けテレビに取付けられた電源用コネクタ６、および壁２に取付けられた壁面取付金具３、壁面取付金具用電源コネクタ４、および壁面から取り出した電源ケーブル５を示している。図３は壁面に壁掛けテレビを取付けた状態の側面図を示しており、壁面取付金具３に壁掛けテレビ１に取付けた取付金具が取付けられ、壁面取付金具用コネクタ４と壁掛けテレビ用電源コネクタ６が勘合している様子を示している。図４は壁面取付金具３に取付けられている電源コネクタ４と壁掛けテレビに取付けられている電源コネクタ６の詳細を示しており、壁掛けテレビ１が壁面に取付けられることで、それぞれのコネクタが勘合し、壁掛けテレビ１に電源が供給される。壁掛けテレビ１に取付けられているコネクタ６を壁掛けテレビ取付金具７に取付けることも実施例として可能である。
【産業上の利用可能性】
【０００９】本装置は、壁掛けテレビを壁面に取付ける際の電源工事を簡素にするだけでなく、テレビを交換する場合は単に交換する壁掛けテレビを掛け換えるだけで特別な電源工事を必要とせず、一般ユーザが家庭で実施できる。
【図面の簡単な説明】
【図１】本実施例に係る壁掛けテレビを壁に取付ける全体の構成を示した図である。
【図２】本実施例に係る壁掛けテレビを壁に取付けるときの側面図である。
【図３】本実施例に係る壁掛けテレビを壁に取付けた状態の取付け側面図である。
【図４】本実施例に係る壁掛けテレビに電源を供給するコネクタの状態を示した詳細図である。
【符号の説明】
【００１０】１  壁掛けテレビ
２  壁
３  壁面用取付金具
４  壁面用取付金具に設置する電源コネクタ
５  壁面から取り出した電源ケーブル
６  壁掛けテレビ用電源コネクタ
７  壁掛けテレビ用取付金具
【図１】
0003142901.tif 000003
【図２】
0003142901.tif 000004
【図３】
0003142901.tif 000005
【図４】
0003142901.tif 000006
(57)【要約】      （修正有）【課題】本物のカニ足肉にかなり近い食感並びに外観の製品を、少ない工程で容易且つ低コストにて製造し得るカニ足肉様練製品を提供する。【解決手段】狭間隔置きに切り溝２を刻設したすり身シ−ト１を、前記切り溝２形成面を外側にして丸めて成る長尺巻装体３から、所望長さ前後をＶ型にカットして切り出された矢羽根形状体４が、袋詰めされて製品形状に成形されて成り、あるいは、狭間隔置きに切り溝２を刻設したすり身シ−ト１を適宜数積層した積層体を、適宜幅に裁断して成る長尺積層体６から、所望長さ前後をＶ型にカットして切り出された矢羽根形状体４が、袋詰めされて製品形状に成形されて成る。【選択図】図１
0003142947.tif 000002
【実用新案登録請求の範囲】
【請求項１】
狭間隔置きに切り溝を刻設したすり身シ−トを、前記切り溝形成面を外側にして丸めて成る長尺巻装体から、所望長さ前後をＶ型にカットして切り出された矢羽根形状体が、袋詰めされて製品形状に成形されて成るカニ足肉様練製品。
【請求項２】
狭間隔置きに切り溝を刻設したすり身シ−トを適宜数積層した積層体を、適宜幅に裁断して成る長尺積層体から、所望長さ前後をＶ型にカットして切り出された矢羽根形状体が、袋詰めされて製品形状に成形されて成るカニ足肉様練製品。
【考案の詳細な説明】
【技術分野】
【０００１】
本考案は、魚肉のすり身等を主原料とした練製品であって、多数の切れ目を備えることにより、カニ足肉の如き食感が得られる切れ目入り練製品に関するものである。
【背景技術】
【０００２】
上記類の製品並びにその製造方法として種々のものが提唱されているが、更に、本物に近い食感並びに外観の製品であって、容易且つ低コストにて製造し得る練製品が求められている。
【０００３】
【特許文献１】特許第３０５６６８６号公報
【特許文献２】特許第３３３４５３５号公報
【特許文献３】特許第２８４３９９９号公報
【考案の開示】
【考案が解決しようとする課題】
【０００４】
本考案は上記要望に応えるためになされたものであって、本物のカニ足肉にかなり近い食感並びに外観の製品を、少ない工程で容易且つ低コストにて製造し得るカニ足肉様練製品を提供することを課題とする。
【課題を解決するための手段】
【０００５】
上記課題を解決するための請求項１に係る考案は、狭間隔置きに切り溝を刻設したすり身シ−トを、前記切り溝形成面を外側にして丸めて成る長尺巻装体から、所望長さ前後をＶ型にカットして切り出された矢羽根形状体が、袋詰めされて製品形状に成形されて成るカニ足肉様練製品である。
【０００６】
上記課題を解決するための請求項２に係る考案は、狭間隔置きに切り溝を刻設したすり身シ−トを、前記切り溝形成面を外側にして丸めて成る長尺巻装体から、所望長さ前後をＶ型にカットして切り出された矢羽根形状体が、袋詰めされて製品形状に成形されて成るカニ足肉様練製品である。
【考案の効果】
【０００７】
本考案は上述した通りであって、本考案に係る練製品は、狭間隔置きに切り溝を刻設したすり身シ−トを、前記切り溝形成面を外側にして丸めて成る長尺巻装体から、所望長さ前後をＶ型にカットして切り出された矢羽根形状体が、袋詰めされて製品形状に成形され、あるいは、狭間隔置きに切り溝を刻設したすり身シ−トを、前記切り溝形成面を外側にして丸めて成る長尺巻装体から、所望長さ前後をＶ型にカットして切り出された矢羽根形状体が、袋詰めされて製品形状に成形されて成るものであるので、本物に近い外観及び食感の製品が、少ない工程で容易且つ低コストにて得られる効果がある。
【考案を実施するための最良の形態】
【０００８】
本考案を実施するための最良の形態を添付図面に依拠して説明する。図１は本考案に係る第１の形態の練製品の製造方法を示すもので、この方法においては、先ず厚さ１〜１．５ｍｍ程度のすり身シ−ト１を製造し、これに狭間隔（例えば１ｍｍ）置きに切り溝２を刻設する（図１（ａ））。切り溝２の深さは任意であるが、通例、すり身シ−ト１の厚さの２分の１乃至３分の２程度とする。
【０００９】
すり身シ−ト１は、例えばスケトウタラ等の魚肉に適宜澱粉、食塩、調味料、卵白等を加えてすり潰したすり身を主原料とする。これをカニ風味に仕上げるには、すり身にかに等の甲殻等の屑肉をフレ−ク状にして混入したり、その甲殻をペ−スト状にすり潰して３〜５％程度すり身に混ぜ合わせたりすればよい。また、カニのフレ−バ−やカルシウム等をすり身に添加することとしてもよい。実際には、冷凍すり身を擂潰機にかけ、擂潰塩摺りして調理されることが多い。すり身シ−ト１は生のまま用いることもあるし（後に加熱する。）、加熱したものを用いることもある。
【００１０】
このすり身シ−ト１を、切り溝２を形成した面を外側にして丸め、直径２〜３ｃｍ程度のロ−ル巻きにして長尺の巻装体３を形成する（図１（ｂ））。次いで、この長尺巻装体３を、所望長さ、即ち製品長づつ、前後をＶ型にカットして、短尺の矢羽根形状体４を形成する（図１（ｃ））。この矢羽根形状体４は、その後適宜フィルム包装されて再加熱されるが、その間に包装材内において成形される。即ち、燕尾状に開いた後部５が自ら粘着して閉じ、前部と同様の丸みを帯びた三角形状となって本考案に係る製品となる。
【００１１】
図２に示す本考案の第２の形態の練製品の製造方法においては、上記第１の製造方法における切り溝２を設けたすり身シ−ト１を適宜枚数積層し（図２（ａ））、これを適宜幅に裁断して形成した長尺積層体６を（図２（ｂ））、所望長さ、即ち製品長づつ、前後をＶ型にカットして，短尺の矢羽根形状体４を得（図２（ｄ））、この矢羽根形状体４を袋詰めして上記同様に成形して本考案に係る製品を得る。
【００１２】
上記いずれの形態の場合においても、本物に近い外観及び食感の製品が、少ない工程で容易且つ低コストにて得られるという効果のあるものである。
【００１３】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００１４】
【図１】本考案に係る練製品の一実施形態の加工工程を示す図である。
【図２】本考案に係る練製品の他の実施形態の加工工程を示す図である。
【符号の説明】
【００１５】
１    すり身シ−ト
２    切り溝
３    巻装体
４    矢羽根形状体
５    燕尾状後部
６    長尺積層体
【図１】
0003142947.tif 000003
【図２】
0003142947.tif 000004
(57)【要約】      （修正有）【課題】構造上に無理がなく、安定性・耐久性に富み、しかも比較的簡単に組立てできる簡易車庫を提供する。【解決手段】複数の円弧状の支持フレームが、それぞれ左右両基盤にまたがって立設され、各支持フレームは垂直の位置と、所定の傾斜を持つ位置とに回動できるようにし、各支持フレームが所定の傾斜を持つ位置にそれぞれ配設して全体にテントカバーを被覆したとき、側面視扇状となることを特徴とする。また、支持フレームの傾斜角度を規制するストッパーが設けられている。【選択図】図１
0003142957.tif 000002
【実用新案登録請求の範囲】
【請求項１】
複数の円弧状の支持フレームが、それぞれ左右両基盤にまたがって立設され、各支持フレームは垂直の位置と、所定の傾斜を持つ位置とに回動できるようにし、各支持フレームが所定の傾斜を持つ位置にそれぞれ配設して、全体にテントカバーを被覆したとき、側面視扇状となることを特徴とする簡易車庫。
【請求項２】
前記基盤には、平行に二枚の支持板が立設され、この二枚の支持板を挿通するボルトが支持フレームの下端を回動自在に挿通するとともに、支持フレームの傾斜角度を規制するストッパーが設けられていることを特徴とする請求項１記載の簡易車庫。
【考案の詳細な説明】
【技術分野】
【０００１】
手軽に開閉（折畳み）できて、移設可能な簡易車庫に関する。
【背景技術】
【０００２】
折畳み式テント車庫として、基盤を両サイドに備えた台車にはキャスターを取り付けるとともに、該基盤にはコ型フレームを起立し、又複数のコ型梁を両基盤にまたがって揺動できるように取着し、これら梁にはテントカバーを被覆して各梁を揺動することでテントカバーを開閉することを特徴とする折畳み式テント車庫が開示されている（例えば、特許文献１参照。）。
【０００３】
また、車を格納するカバー体を伸縮自在にベース体に取付けて折畳み可能な車庫を形成させたことを特徴とする屋外簡易形据付車庫及び、ベース体にガイドレールを固設させ、ガイドレールに沿って移動自在にカバー体を据付けたことを特徴とする屋外簡易形据付車庫が開示されている（例えば、特許文献２参照。）。
【０００４】
【特許文献１】実開平６−２８１２１号公報
【特許文献２】特開２００４−３３９６９９号公報
【考案の開示】
【考案が解決しようとする課題】
【０００５】
特許文献１の考案では、テント車庫のコ字状の梁を扇状に開いたとき、梁の上端を紐で結んで形が保たれているが、風などの外力により変形するおそれがあり、中の車が傷つくおそれがある。
【０００６】
特許文献２の発明では、ベースフレームの略中央に固設する軸受板の回動軸に多数の支持フレームを回動自在に支持させて車庫の開閉を行うよう構成されており、構造上無理があり、故障しやすい懸念がある。
【０００７】
本考案は、このような従来の構成が有していた問題を解決しようとするものであり、構造上に無理がなく、安定性、耐久性に富み、しかも比較的簡単に組立てできる簡易車庫を提供しようとするものである。
【課題を解決するための手段】
【０００８】
複数の円弧状の支持フレームが、それぞれ左右両基盤にまたがって立設され、各支持フレームは垂直の位置と所定の傾斜を持つ位置とに回動できるようにし、各支持フレームが所定の傾斜を持つ位置にそれぞれ配設して、全体にテントカバーを被覆したとき、側面視扇状となることを特徴とする簡易車庫である。
【０００９】
そして、第２の解決手段として、前記基盤には、平行に二枚の支持板が立設され、この二枚の支持板を挿通するボルトが支持フレームの下端を回動自在に挿通するとともに、支持フレームの傾斜角度を規制するストッパーが設けられていることを特徴とする請求項１記載の簡易車庫である。
【考案の効果】
【００１０】
上記のように、本考案の簡易車庫は、組立・設置が簡単で、しかも簡単に手軽に開閉ができ、構造上に無理がなく、安定性・耐久性に富み長期間安定して使用できる。
【考案を実施するための最良の形態】
【００１１】
以下、添付図面に従って一実施例を説明する。
図１は、テントカバーを除いた本考案の斜視図である。複数の支持フレーム１，１…が両下端を基盤２に立設された二枚の支持板３，３に挟まれて回動自在に配設されている。基盤２はアンカーボルト４，４…で基礎の上に固設されている。
【００１２】
図２は、基盤２の部分の拡大説明図である。複数の支持フレーム１，１…の下端は、二枚の支持板３，３…を挿通するボルト５で回動自在に挿通され、支持されている。ストッパー６，６…は、支持フレーム１，１…を倒したとき、一定の傾斜角度が保たれるようにするためのものである。ストッパー６，６…は、図では、二枚の支持板３，３を挿通するボルト状のものが記載されているが、二枚の支持板３，３…をつなぐ所定の角度で取付けられた板状のものでも良い。
【００１３】
本考案の簡易車庫を設置するにあたっては、まず、地面又はコンクリート基礎上に基盤２を置いて、アンカーボルト４，４…を打込み固定する。次に、基盤２上に立設された二枚の支持板３，３の間に複数の支持フレーム１，１…を挿込み、次に支持フレーム１，１…の下端の穴と、二枚の支持板３，３の穴とにボルト４を挿込み、支持フレーム１，１…を回動自在に支持する。次に、支持フレーム１，１…をそれぞれのストッパー６，６…の位置まで傾けて全体を扇状に拡げた後、全体をテントカバーで覆うようにする。
【００１４】
車７を車庫に入れるときは、支持フレーム１，１…の前半部を垂直に持ち上げて開口部を作り、車７を入庫させた後、持ち上げた支持フレーム１，１…を下ろして車７を覆うようにする。
【００１５】
車がセダン型の場合、図１に示すように、ボンネットの部分とトランクルームの部分は、露出するようにし、フロントガラス、左右の窓ガラス、バックウィンドウはテントカバーで覆うようにする。
これは、簡易車庫の外形をコンパクトにし、取扱いを便利にするためである。
また、ボンネットやトランクルームの部分は比較的清掃しやすいので、あえてカバーの外にでるようにした。
【図面の簡単な説明】
【００１６】
【図１】本発明のテントカバーを除いた部分の斜視図である。
【図２】基盤の拡大説明図である。
【符号の説明】
【００１７】
１  支持フレーム
２  基盤
３  支持板
４  アンカーボルト
５  ボルト
６  ストッパー
７  車
【図１】
0003142957.tif 000003
【図２】
0003142957.tif 000004
(57)【要約】      （修正有）【課題】ペットをケアするにあたり、爪を切る場合やケアするときの噛付き防止機能、傷ついたからだを舐めないようにする機能、ペットをよく観察する必要があるときの安全確保機能、頭部を守るための保護機能、雨などの汚れを防止するための機能等を備えたペット用ヘルメットを提供する。【解決手段】ペットの頭部全体を覆い、その外観はペットの種類や種別にあわせたおよそのシルエットをかたちどったことを特徴とする形状で、かつ、呼吸ができる穴または呼吸ができる隙間または呼吸ができる構造を備えたペット用ヘルメットである。【選択図】図１
0003142933.tif 000002
【実用新案登録請求の範囲】
【請求項１】
ペットの頭部全体を覆うことを特徴とし、また、その外観はペットの種類や種別にあわせたおよそのシルエットをかたちどったことを特徴とする形状で、かつ、呼吸ができる穴または呼吸ができる隙間または呼吸ができる構造を備えたペット用ヘルメットであり、主たるヘルメット部分の材質を樹脂系またはゴム系としたペット用ヘルメット。
【考案の詳細な説明】
【技術分野】
【０００１】
本考案は、ペットに使用するペット用ヘルメットに関するものである。
【背景技術】
【０００２】
ペットに関するケア用品のなかに、噛付き防止のためペットの口と鼻部分のみを覆う猿ぐつわがある。その他に、ペットが傷ついたからだを舐めないようにしたり、ケアするための首に巻く放射状のリングがある。その他に、ペットが雨などにより汚れないようにするための衣類系の帽子やカッパがある。
【特許文献１】なし。
【考案の開示】
【考案が解決しようとする課題】
【０００３】
ペットをケアするにあたり、さまざまな、要求される機能が挙げられる。爪を切る場合やケアするときの噛付き防止機能、傷ついたからだを舐めないようにする機能、ペットをよく観察する必要があるときの安全確保機能、頭部を守るための保護機能、雨などの汚れを防止するための機能などが必要とされている。数少ない道具で多機能をもつものの開発が課題である。
【課題を解決するための手段】
【０００４】
本考案の請求項１のペット用ヘルメットは、ペットの頭部全体を覆い、かつ、呼吸ができる穴または呼吸ができる隙間または呼吸ができる構造を備えたことで、爪を切る場合やケアするときの噛付き防止機能、傷ついたからだを舐めないようにする機能、ペットをよく観察する必要があるときの安全確保機能、頭部を守るための保護機能、雨などの汚れを防止するための機能などをもたせた。さらに、対象となるペットの種類や種別にあわせた形状の採用と、材質を指定することで、取扱いやすくした。
【考案の効果】
【０００５】
本考案の請求項１によれば、爪を切る場合やケアするときの噛付き防止機能、傷ついたからだを舐めないようにする機能、ペットをよく観察する必要があるときの安全確保機能、頭部を守るための保護機能、雨などの汚れを防止するための機能などを果たすことができる。ペットのケアおよび、動物医療現場での使用が考えられる。
【考案を実施するための最良の形態】
【０００６】
本考案の請求項１は、ペットの頭部または顔部分全体を覆い、かつ、呼吸ができる穴または呼吸ができる隙間または呼吸ができる構造を備えている。
【０００７】
請求項１の形状は、ペットの種類や種別にあわせたおよそのシルエットをかたちどったことを特徴し、呼吸ができる穴または呼吸ができる隙間または呼吸ができる構造を備えている。目や耳に該当する部分に穴を設けてもよい。
【０００８】
請求項１の主たる部分の材質は、ＰＥ、ＰＰ、フッ素樹脂など各種樹脂系や、ウレタンゴム、シリコンゴムなど各種ゴム系がよい。また、外観形状の維持と軽量化のため、そのヘルメット部分の厚みは、０．２ミリ以上３．０ミリ以下が望ましい。屋外での使用の場合は、防水機能をもつことが望ましい。
【０００９】
請求項１のヘルメットの内側には、何も無くてもよいし、クッション製のものを備えていてもよい。
【００１０】
請求項１のヘルメットのペットへの固定部分は、ヘルメット本体でおよその固定が確保される方法でもよいし、ベルト状のものや、ひも状のものや、フック、ボタン、張り合わせなどにより固定される方法をとってもよい。
【００１１】
請求項１のヘルメット本体は、一体型でも、開閉型でも、分割型でもかまわない。
【００１２】
請求項１のヘルメット本体は使用用途により、透明であったり、不透明であったりと限定しない。
【００１３】
請求項１は、ペットボトルの再利用品としても有効である。エコ商品としてもよい。
【００１４】
請求項１の端部は、雨処理のため、返しや段付き形状にしてもよい。
【産業上の利用可能性】
【００１５】
本考案は、ペットをケアするためのペット用ヘルメットとして利用可能である。
【図面の簡単な説明】
【００１６】
【図１】ペットの頭部または顔部分全体を覆い、その外観はペットの種類や種別にあわせたおよそのシルエットをかたちどったことを特徴とする形状であり、かつ、呼吸ができる穴または呼吸ができる隙間または呼吸ができる構造を備えた請求項１のフルフェイス形ペット用ヘルメットの代表例図である。
【符号の説明】
【００１７】
１・・・呼吸穴
【図１】
0003142933.tif 000003